【手続補正書】
【提出日】平成15年8月18日(2003.8.18)
【手続補正１】
【補正対象書類名】明細書
【補正対象項目名】特許請求の範囲
【補正方法】変更
【補正の内容】
【特許請求の範囲】
【請求項１】
電子メールのテキストを分析し、
前記分析結果に従って、発声属性を決定し、
前記決定された発声属性に基づいて前記テキストを音声合成することを特徴とする情報処理方法。
【請求項２】
前記分析はテキストを文単位に分割することを特徴とする請求項１に記載の情報処理方法。
【請求項３】
前記分割された文の文字数に従って前記発声属性を決定することを特徴とする請求項２に記載の情報処理方法。
【請求項４】
前記分割された文の単語数に従って前記発声属性を決定することを特徴とする請求項２に記載の情報処理方法。
【請求項５】
前記分析は前記電子メールの種類を判定する処理とすることを特徴とする請求項１に記載の情報処理方法。
【請求項６】
前記分析は前記電子メールに含まれる関連後を検知する処理とすることを特徴とする請求項１に記載の情報処理方法。
【請求項７】
前記発声属性は発声速度とすることを特徴とする請求項１に記載の情報処理方法。
【請求項８】
前記発声属性は発声の高さとすることを特徴とする請求項１に記載の情報処理方法。
【請求項９】
前記発声属性は音量とすることを特徴とする請求項１に記載の情報処理方法。
【請求項１０】
前記電子メールの読み上げを指示するコマンドを公衆回線を介して入力し、
前記合成音声を公衆回線を介して出力することを特徴とする請求項１に記載の情報処理方法。
【請求項１１】
前記コマンドは、プッシュボタン信号により特定されることを特徴とする請求項１０に記載の情報処理方法。
【請求項１２】
前記コマンドは公衆回線を介して接続された電話により入力することを特徴とする請求項１０に記載の情報処理方法。
【請求項１３】
前記コマンドは前記公衆回線を介して接続された情報端末より入力することを特徴とする請求項１０に記載の情報処理方法。
【請求項１４】
電子メールを記憶する記憶手段と、
前記記憶している電子メールのテキストを分析する分析手段と、
前記分析結果に従って、発声属性を決定する決定手段と、
前記決定された発声属性に基づいて前記テキストを音声合成する音声合成手段とを有することを特徴とする情報処理装置。
【手続補正２】
【補正対象書類名】明細書
【補正対象項目名】０００６
【補正方法】変更
【補正の内容】
【０００６】
【課題を解決するための手段】
上記課題を解決するために、本発明は、電子メールのテキストを分析し、前記分析結果に従って、発声属性を決定し、前記決定された発声属性に基づいて前記テキストを音声合成することを特徴とする情報処理方法を提供する。


【手続補正３】
【補正対象書類名】明細書
【補正対象項目名】０００７
【補正方法】変更
【補正の内容】
【０００７】
上記従来の課題を解決するために、本発明は、電子メールを記憶する記憶手段と、前記記憶している電子メールのテキストを分析する分析手段と、前記分析結果に従って、発声属性を決定する決定手段と、前記決定された発声属性に基づいて前記テキストを音声合成する音声合成手段とを有することを特徴とする情報処理装置を提供する。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００８６
【補正方法】変更
【補正の内容】
【００８６】
以上説明したように、本実施形態によれば、電子メールのテキストを分析し、前記分析結果に従って、発声属性を決定し、前記決定された発声属性に基づいて前記テキストを音声合成することにより、メールのテキストの内容や意味を聞き取りやすくすることが可能となる。


【手続補正１６】
【補正対象書類名】明細書
【補正対象項目名】００８７
【補正方法】変更
【補正の内容】
【００８７】
以上説明したように、本実施形態によれば、前記分析はテキストを文単位に分割することにより、文毎に適切な発声をするので、聞き取りやすくなる。


【手続補正１７】
【補正対象書類名】明細書
【補正対象項目名】００８８
【補正方法】変更
【補正の内容】
【００８８】
以上説明したように、本実施形態によれば、前記分割された文の文字数に従って前期発声属性を決定するので、文字数に適した発生をすることができる。


【手続補正１８】
【補正対象書類名】明細書
【補正対象項目名】００８９
【補正方法】変更
【補正の内容】
【００８９】
以上説明したように、本実施形態によれば、前記分割された文の単語数に従って前記発声属性を決定するので、単語数に適した発声をすることができる。


【手続補正１９】
【補正対象書類名】明細書
【補正対象項目名】００９０
【補正方法】変更
【補正の内容】
【００９０】
以上説明したように、本実施形態によれば、前記分析は前記電子メールの種類を判定する処理とすることにより、メールの種類に適した発声をすることができる。


【手続補正２０】
【補正対象書類名】明細書
【補正対象項目名】００９１
【補正方法】変更
【補正の内容】
【００９１】
以上説明したように、本実施形態によれば、前記分析は前記電子メールに含まれる関連後を検知する処理とすることにより、文の意味に適した発声をすることができる。


【手続補正２１】
【補正対象書類名】明細書
【補正対象項目名】００９２
【補正方法】変更
【補正の内容】
【００９２】
以上説明したように、本実施形態によれば、前記発声属性は発声速度とすることにより、各々に適した発声速度にすることができる。


【手続補正２２】
【補正対象書類名】明細書
【補正対象項目名】００９３
【補正方法】変更
【補正の内容】
【００９３】
以上説明したように、本実施形態によれば、前記発声属性は発声の高さとすることにより、各々に適した発声の高さにすることができる。


【手続補正２３】
【補正対象書類名】明細書
【補正対象項目名】００９４
【補正方法】変更
【補正の内容】
【００９４】
以上説明したように、本実施形態によれば、前記発声属性は音量とすることにより、各々に適した音量にすることができる。


【手続補正２４】
【補正対象書類名】明細書
【補正対象項目名】００９５
【補正方法】変更
【補正の内容】
【００９５】
以上説明したように、本実施形態によれば、前記電子メールの読み上げを指示するコマンドを公衆回線を介して入力し、前記合成音声を公衆回線を介して出力することにより、公衆回線で接続されるところならどこでも適切な発声でメールを確認することができる。


【手続補正２５】
【補正対象書類名】明細書
【補正対象項目名】００９６
【補正方法】変更
【補正の内容】
【００９６】
以上説明したように、本実施形態によれば、前記コマンドは、プッシュボタン信号により特定されることにより、プッシュボタン信号を入力する手段さえあればどこでも適切な発声でメールを確認することができる。


【手続補正２６】
【補正対象書類名】明細書
【補正対象項目名】００９７
【補正方法】変更
【補正の内容】
【００９７】
以上説明したように、本実施形態によれば、前記コマンドは公衆回線を介して接続された電話により入力することにより、電話がつながるところならどこでも適切な発声でメールを確認することができる。


【手続補正２７】
【補正対象書類名】明細書
【補正対象項目名】００９８
【補正方法】変更
【補正の内容】
【００９８】
以上説明したように、本実施形態によれば、前記コマンドは前記公衆回線を介して接続された情報端末より入力することにより、情報端末がつながるところならどこでも適切な発声でメールを確認することができる。
【発明の効果】
以上説明したように、本発明によれば、電子メールのテキストを分析し、分析結果に従って発声属性を決定し、決定された発声属性に基づいて前記テキストを音声合成することにより、メールのテキストの内容や意味を聞き取りやすくすることができる。